(57)【要約】【課題】開口部を折返し部で確実に閉じることができ、図柄表示や、粗品表示や、提供者表示等の各種印刷表示部を簡単に且つ確実に設けられ、構成簡素で、量産に適し、経済的で、粗品等の収納品に最適な収納袋を提供する。【解決手段】糊付部５を介して表面シート１ａと裏面シート２ａを貼合せ、裏面シート材２ａの上辺寄り部分に、裏面シート２ａを幅方向に沿って所定幅に切設してなる開口部３を設け、少なくとも表面シート１ａの表面には、適宜個別印刷手段によって図柄表示や、粗品表示や、提供者表示等の各種印刷表示部４を設け、糊付部５は、表面シート１ａ及び裏面シート２ａの下辺及び左右側辺に沿うように配する略角Ｕ字状の下部糊付部５ａと、開口部３上方に位置する折返し部に、幅方向に沿うように配すると共に上下に平行に配する上部糊付部５ｂとからなり、折返し部の折返しで開口部３を閉じることができるよう構成する。【選択図】        図１
2004307021.tif 000002
【特許請求の範囲】
【請求項１】
糊付部を介して表面シートと裏面シートを貼合せるようにして構成される粗品等の収納袋であって、裏面シート材の上辺寄り部分には、裏面シートを幅方向に沿って所定幅に切設してなる開口部を設け、少なくとも表面シートの表面には、適宜個別印刷手段によって図柄表示や、粗品表示や、提供者表示等の各種印刷表示部を設け、前記糊付部は、表面シート及び裏面シートの下辺及び左右側辺に沿うように配される略角Ｕ字状の下部糊付部と、開口部上方に位置する折返し部に、幅方向に沿うように配されると共に上下に平行に配される上部糊付部とからなり、折返し部の折返しによって開口部を閉じることができるように構成したことを特徴とする粗品等の収納袋。
【請求項２】
糊付部を介して表面シートと裏面シートを貼合せるようにして構成される粗品等の収納袋の製造方法であって、供給部にて表面側シート素材と裏面側シート素材を連続的に供給し、この供給部から供給される裏面側シート素材に、切込工程にて開口部となる平行な切込線を設け、一方、表面側シート素材には、糊塗布工程にて適宜糊付部を形成し、前記表面側シート素材と裏面側シート素材を、貼合せ工程にて糊付部を介して貼合せ、この貼合された表面側シート素材と裏面側シート素材を、一次裁断工程にて裁断して、複数の収納袋基体が適宜並設されたような状態の一次裁断物を形成し、この一次裁断物を貯留工程にて貯留し、更に、この貯留された一次裁断物から、所望量の一次裁断物を個別印刷工程に送給すると共に、個別印刷工程にて図柄表示や、粗品表示や、提供者表示等の適宜印刷表示部を一次裁断物に設け、この印刷表示部が設けられた一次裁断物を、二次裁断工程にて裁断して、一次裁断物から所定の収納袋が複数形成できるようにすることを特徴とした粗品等の収納袋の製造方法。
【発明の詳細な説明】
【０００１】
【発明の属する技術分野】
本発明は、例えば、粗品等として配られる適宜収納品（例えば、ボールペン、サインペン、その他）を収納でき、しかも、その表面に、適宜図柄表示や、粗品表示や、提供者表示等の各種表示部が設けられるようにしてある粗品等の収納袋及びその製造方法に関するものである。
【０００２】
【従来の技術】
従来、この種の収納袋としては、種々のものが提供されており、例えば、特許文献１の箸袋及びその製造方法等が提案されている。
そして、この箸袋は、箸の長さに対応させた適宜長さの長方形状の上紙と、この上紙と同形状の下紙とを重ね合わせて、これらの上紙と下紙との両側縁部と底縁部との三方を糊付けし、且つ上紙の箸差込み側端部に適宜形状等の箸差込み口を設けたたものである。
また、その製造方法は、連続した帯状の上紙の上面に適当な箸１本分の文字・図柄等を、幅方向へ数本並列に且つ底側端同志及び箸差込み側端同志が突合わされるように長手方向へ直列に順次印刷する文字・図柄印刷工程と、この文字・図柄印刷工程で印刷された上紙を順次繰出して、箸１本分の各文字・図柄等の箸差込み側端の突合部分に適宜形状等の箸差込み口を順次打抜く穴抜工程と、一方、前記上紙と同形状の下紙に、前記文字・図柄印刷工程で印刷された箸１本分の各文字・図柄等に対応させて箸１本分の糊代枠を、幅方向へ数本並列に且つ底側端同志及び箸差込み側端同志が突合わされるように長手方向へ直列に順次印刷する糊代枠印刷工程と、この糊代枠印刷工程で印刷された下紙を順次繰出して、各糊代枠に糊を順次塗布する糊塗布工程と、この糊塗布工程で下紙の各糊代枠に塗布された糊に、前記穴抜工程から誘導された上紙の箸１本分の各文字・図柄を順次張合わせる張合工程と、この上紙と下紙とが張合わされたものを箸１本分の各文字・図柄毎に各糊代枠の糊付部分から及び箸差込み側端の箸差込み口の中央部分から順次裁断する裁断工程とから、箸袋を製造するものである。
【０００３】
【特許文献１】
特開平５−３１０２８２号（図１、図２）
【０００４】
【発明が解決しようとする課題】
しかしながら、前述の如き箸袋にあっては、上紙の箸差込み側端部に箸差込み口を設けただけであるため、箸差込み口が開放状態のままとなっているため、粗品等の収納品には適したものとなっていない難点等があった。
また、前述の如き製造方法にあっては、連続した帯状の上紙の上面に、文字・図柄印刷工程によって予め長手方向へ直列に順次印刷してあるため、同一種類のものを大量に製造する場合には、適した手段となるが、例えば、多種類のものを少量宛製造する場合等にあっては、予め印刷されている連続した帯状の上紙を交換しなければならない難点や、数量が予定していたものより少なくなった場合に、予め印刷されている連続した帯状の上紙の一部が無駄になる等の難点等があった。
そこで、本発明は、前述の如き難点等の解消を図れるようにして、粗品等の収納品を出入れする開口部を確実に閉じることができる収納袋を提供し、また、収納袋を簡単に製造できると共に、短時間で大量に製造でき、要望に応じた収納袋を少量から製造可能で、効率が良く、無駄が少なく、早期出荷等も期待できる製造方法を提供すべく創出されたものである。
【０００５】
【課題を解決するための手段】
しかして、請求項１記載の粗品等の収納袋Ｓ１にあっては、糊付部５を介して表面シート１ａと裏面シート２ａを貼合せるようにして構成される粗品等の収納袋Ｓ１であって、裏面シート材２ａの上辺寄り部分には、裏面シート２ａを幅方向に沿って所定幅に切設してなる開口部３を設け、少なくとも表面シート１ａの表面には、適宜個別印刷手段によって図柄表示や、粗品表示や、提供者表示等の各種印刷表示部４を設け、前記糊付部５は、表面シート１ａ及び裏面シート２ａの下辺及び左右側辺に沿うように配される略角Ｕ字状の下部糊付部５ａと、開口部３上方に位置する折返し部に、幅方向に沿うように配されると共に上下に平行に配される上部糊付部５ｂとからなり、折返し部の折返しによって開口部３を閉じることができるように構成する手段を採用した。
【０００６】
また、請求項２記載の粗品等の収納袋Ｓ１の製造方法にあっては、糊付部５を介して表面シート１ａと裏面シート２ａを貼合せるようにして構成される粗品等の収納袋Ｓ１の製造方法であって、供給部にて表面側シート素材１と裏面側シート素材２を連続的に供給し、この供給部から供給される裏面側シート素材２に、切込工程Ａにて開口部３となる平行な切込線を設け、一方、表面側シート素材１には、糊塗布工程Ｂにて適宜糊付部５を形成し、前記表面側シート素材１と裏面側シート素材２を、貼合せ工程Ｃにて糊付部５を介して貼合せ、この貼合された表面側シート素材１と裏面側シート素材２を、一次裁断工程Ｄにて裁断して、複数の収納袋基体が適宜並設されたような状態の一次裁断物Ｓを形成し、この一次裁断物Ｓを貯留工程Ｅにて貯留し、更に、この貯留された一次裁断物Ｓから、所望量の一次裁断物Ｓを個別印刷工程Ｆに送給すると共に、個別印刷工程Ｆにて図柄表示や、粗品表示や、提供者表示等の適宜印刷表示部４を一次裁断物Ｓに設け、この印刷表示部４が設けられた一次裁断物Ｓを、二次裁断工程Ｇにて裁断して、一次裁断物Ｓから所定の収納袋Ｓ１が複数形成できるようにする手段を採用した。
【０００７】
【発明の実施の形態】
以下、本発明を図示例に基づいて説明すると、次の通りである。
図中Ｓ１は、粗品等として配られる適宜収納品（例えば、ボールペン、サインペン、その他）を収納でき、糊付部５を介して表面シート１ａと裏面シート２ａを貼合せるようにして構成される本発明の収納袋を示し、この粗品等の収納袋Ｓ１は、裏面シート材２ａの上辺寄り部分に、裏面シート２ａを幅方向に沿って所定幅に切設してなる開口部３を設け、少なくとも表面シート１ａの表面（及び裏面シート２ａの表面）には、適宜個別印刷手段によって図柄表示や、粗品表示や、提供者表示等の各種印刷表示部４を設けてある。
【０００８】
そして、前記糊付部５は、表面シート１ａ及び裏面シート２ａの下辺及び左右側辺に沿うように配される略角Ｕ字状の下部糊付部５ａと、開口部３上方に位置する折返し部に、幅方向に沿うように配されると共に上下に平行に配される上部糊付部５ｂとからなっている。
更に、折返し部の折返しによって開口部３を閉じることができるように構成されている。
【０００９】
前記表面シート１ａと裏面シート２ａは、例えば、適宜紙製（或いは、樹脂製、適宜複合材でも良い）で細長矩形状を呈し、相互に重合するように形成されている。
尚、表面シート１ａ及び裏面シート２ａの具体的な構成や、形状や、材質や、寸法等は図示例のもの等に限定されることなく適宜自由に設定、変更できるものである。
【００１０】
前記開口部３は、例えば、上部に折返し部が残るように裏面シート材２ａの上辺寄り部分に設けられていると共に、裏面シート２ａに幅方向に沿って所定間隔（例えば、僅かな幅）の平行な切線を設け、この切線の間の部分を切取ることによって形成されている。
尚、開口部３の具体的な構成や、形状や、寸法や、配設位置等は図示例のもの等に限定されることなく適宜自由に設定、変更できるものである。
【００１１】
前記印刷表示部４は、例えば、図１に示すように、上辺右寄りに設けた図柄表示（例えば、熨斗を模した図柄、その他）や、上辺寄りに設けた粗品表示や、下辺寄りに設けた提供者表示（例えば、スポンサー名、その他）等がある。
尚、印刷表示部４の具体的な構成や、形状や、寸法や、色彩や、数や、配設位置等は図示例のもの等に限定されることなく適宜自由に設定、変更できるものである。
【００１２】
前記糊付部５の下部糊付部５ａは、例えば、平行な二本の線状に形成され、上方のものは上辺に接近し、下方のものは開口部３を塞ぐことがないようにその製造誤差を考慮して開口部３上縁から僅かに離れた位置に配されている。
尚、下部糊付部５ａの具体的な構成や、形状や、寸法や、配設位置、上部糊付部５ｂの具体的な構成や、形状や、寸法や、数や、配設位置等は図示例のもの等に限定されることなく適宜自由に設定、変更できるものである。
【００１３】
次に、前述の如く構成される収納袋Ｓ１の製造方法について説明する。
先ず、供給部にて表面側シート素材１と裏面側シート素材２を連続的に供給する。
【００１４】
そして、この供給部から供給される裏面側シート素材２に、切込工程Ａにて開口部３となる平行な切込線を複数組設ける。
【００１５】
一方、表面側シート素材１の裏面には、糊塗布工程Ｂにて適宜糊付部５を塗布するようにして形成する。
【００１６】
更に、糊付部５が形成された表面側シート素材１と、平行な切込線が設けられた裏面側シート素材２とを、貼合せ工程Ｃの一対の押圧ローラ１２によって糊付部５を介して正確に貼合せる。
このとき、裏面側シート素材２の搬送路には、ガイドローラ１０、１１が配されており、裏面側シート素材２が表面側シート素材１にスムーズに接近するように形成してある。
尚、ガイドローラ１０、１１は、表面側シート素材１の搬送路に設けてあっても良いし、表面側シート素材１と裏面側シート素材２の搬送路に設けてあっても良いし、しかも、その数や、配設位置等は、図示例のもの等に限定されることなく適宜自由に設定、変更できる。
【００１７】
それから、貼合された表面側シート素材１と裏面側シート素材２を、一次裁断工程Ｄにて裁断して、複数の収納袋基体が適宜並設されたような状態の略矩形状の一次裁断物Ｓを形成し、この一次裁断物Ｓを貯留工程Ｅにて貯留する。
尚、一次裁断物Ｓ自体の具体的形状、寸法や、一次裁断物Ｓに於ける収納袋基体の数や、配設位置や、配設向き等は、図示例のもの等に限定されることなく適宜自由に設定、変更できる。しかも、貯留工程Ｅでの一次裁断物Ｓの貯留期間等も、所望収納袋Ｓ１の数量に応じて適宜自由に設定、変更することができる。
【００１８】
次に、貯留工程Ｅで貯留された一次裁断物Ｓから、所望量の一次裁断物Ｓを個別印刷工程Ｆに送給すると共に、個別印刷工程Ｆにて図柄表示や、粗品表示や、提供者表示等の適宜印刷表示部４を一次裁断物Ｓの複数の収納袋基体夫々に設ける。
【００１９】
更に、この印刷表示部４が設けられた一次裁断物Ｓを、二次裁断工程Ｇにて切断想定線６部分で裁断して、一次裁断物Ｓから複数の収納袋Ｓ１を形成する。
【００２０】
【発明の効果】
従って、本発明の粗品等の収納袋Ｓ１は、糊付部５を介して表面シート１ａと裏面シート２ａを貼合せるようにして構成される粗品等の収納袋Ｓ１であって、裏面シート材２ａの上辺寄り部分には、裏面シート２ａを幅方向に沿って所定幅に切設してなる開口部３を設け、少なくとも表面シート１ａの表面には、適宜個別印刷手段によって図柄表示や、粗品表示や、提供者表示等の各種印刷表示部４を設け、前記糊付部５は、表面シート１ａ及び裏面シート２ａの下辺及び左右側辺に沿うように配される略角Ｕ字状の下部糊付部５ａと、開口部３上方に位置する折返し部に、幅方向に沿うように配されると共に上下に平行に配される上部糊付部５ｂとからなり、折返し部の折返しによって開口部３を閉じることができるように構成したので、粗品等の収納品を出入れする開口部３を折返し部で確実に閉じることができるようになり、少なくとも表面シート１ａの表面には、図柄表示や、粗品表示や、提供者表示等の各種印刷表示部４を簡単に且つ確実に設けられるようになり、粗品等の収納品に最適な収納袋Ｓ１となる。しかも、構成が簡素で、量産に適し、経済的な収納袋Ｓ１となる。
更に、表面シート１ａと裏面シート２ａは、糊付部５の下部糊付部５ａと上部糊付部５ｂを介して確実に、安定的に、且つ能率良く接着できるようになる。
【００２１】
また、本発明の粗品等の収納袋Ｓ１の製造方法は、糊付部５を介して表面シート１ａと裏面シート２ａを貼合せるようにして構成される粗品等の収納袋Ｓ１の製造方法であって、供給部にて表面側シート素材１と裏面側シート素材２を連続的に供給し、この供給部から供給される裏面側シート素材２に、切込工程Ａにて開口部３となる平行な切込線を設け、一方、表面側シート素材１には、糊塗布工程Ｂにて適宜糊付部５を形成し、前記表面側シート素材１と裏面側シート素材２を、貼合せ工程Ｃにて糊付部５を介して貼合せ、この貼合された表面側シート素材１と裏面側シート素材２を、一次裁断工程Ｄにて裁断して、複数の収納袋基体が適宜並設されたような状態の一次裁断物Ｓを形成し、この一次裁断物Ｓを貯留工程Ｅにて貯留し、更に、この貯留された一次裁断物Ｓから、所望量の一次裁断物Ｓを個別印刷工程Ｆに送給すると共に、個別印刷工程Ｆにて図柄表示や、粗品表示や、提供者表示等の適宜印刷表示部４を一次裁断物Ｓに設け、この印刷表示部４が設けられた一次裁断物Ｓを、二次裁断工程Ｇにて裁断して、一次裁断物Ｓから所定の収納袋Ｓ１が複数形成できるようにするので、収納袋Ｓ１を簡単に製造できるようになると共に、短時間で大量の収納袋Ｓ１を製造できるようになる。
特に、個別印刷工程Ｆで一次裁断物Ｓを自由に貯留しておけるようになり、同一種類の収納袋Ｓ１を大量に製造する場合は勿論のこと、要望に応じた印刷表示部４が異なる各種収納袋Ｓ１を少量だけ製造する場合にも適し、効率が良く、無駄が無く、早期出荷等も期待でき、経済性の優れた製造方法となる。
【図面の簡単な説明】
【図１】一次裁断物に印刷を施した状態を例示する平面図である。
【図２】一次裁断物を例示する一部切欠底面図である。
【図３】他の一次裁断物を示す一部省略底面図である。
【図４】本発明の製造工程を例示する概略図である。
【符号の説明】
Ｓ      一次裁断物                    Ｓ１    収納袋
１      表面側シート素材              １ａ    表面シート
２      裏面側シート素材              ２ａ    裏面シート
３      開口部                        ４      印刷表示部
５      切断想定線                    ５ａ    下部糊付部
５ｂ    上部糊付部                    ６      切断想定線
Ａ      切込工程                      Ｂ      糊塗布工程
Ｃ      貼合せ工程                    Ｄ      一次裁断工程
Ｅ      貯留工程                      Ｆ      個別印刷工程
Ｇ      二次裁断工程
１０    ガイドローラ                  １１    ガイドローラ
１２    押圧ローラ
【図１】
2004307021.tif 000003
【図２】
2004307021.tif 000004
【図３】
2004307021.tif 000005
【図４】
2004307021.tif 000006